(57)【要約】  通信機能を持つ電子装置であって、前記電子装置におけるユーザの操作状態を検出する状態検出部１１と、少なくとも１つの前記操作状態に基づいて、着信通知モードを切り替える制御部１と、前記着信通知モードに従って、ユーザに対する着信通知を行う通知部とを備えた。【特許請求の範囲】
【請求項１】
通信機能を持つ電子装置であって、
前記電子装置におけるユーザの操作状態を検出する状態検出部と、
少なくとも１つの前記操作状態に基づいて、着信通知モードを切り替える制御部と、
前記着信通知モードに従って、ユーザに対する着信通知を行う通知部と、
を備えてなる電子装置。
【請求項２】
請求項１に記載の電子装置において、
前記状態検出部は、前記操作状態として、キーの操作、タッチパネルの操作、ＣＰＵの負荷、アプリケーションにおいて操作中に設定される識別子、のいずれかを検出することを特徴とする電子装置。
【請求項３】
請求項２に記載の電子装置において、
前記状態検出部は、前記操作状態として更に、前記電子装置付近の照度、前記電子装置に加わる圧力、のいずれかを検出することを特徴とする電子装置。
【請求項４】
請求項１乃至請求項３のいずれかに記載の電子装置において、
前記着信通知モードは、音による着信通知を行うモードと表示による着信通知を行うモードとを含むことを特徴とする電子装置。
【請求項５】
請求項４に記載の電子装置において、
前記通知部は、前記表示による着信通知を行うモードの場合に、応答方法の候補を表示し、ユーザに選択させることを特徴とする電子装置。
【請求項６】
請求項１乃至請求項５のいずれかに記載の電子装置において、
前記着信通知モードは、複数の前記操作状態を用いる論理式により判定され、該論理式はユーザにより設定されることを特徴とする電子装置。
【請求項７】
通信機能を持つ電子装置の制御を行う着信通知制御方法であって、
前記電子装置におけるユーザの操作状態を検出する状態検出ステップと、
少なくとも１つの前記操作状態に基づいて、着信通知モードを切り替える制御ステップと、
前記着信通知モードに従って、ユーザに対する着信通知を行う通知ステップと、
を備えてなる着信通知制御方法。
【請求項８】
請求項７に記載の着信通知制御方法において、
前記状態検出ステップは、前記操作状態として、キーの操作、タッチパネルの操作、ＣＰＵの負荷、アプリケーションにおいて操作中に設定される識別子、のいずれかを検出することを特徴とする着信通知制御方法。
【請求項９】
請求項８に記載の着信通知制御方法において、
前記状態検出ステップは、前記操作状態として更に、前記電子装置付近の照度、前記電子装置に加わる圧力、のいずれかを検出することを特徴とする着信通知制御方法。
【請求項１０】
請求項７乃至請求項９のいずれかに記載の着信通知制御方法において、
前記着信通知モードは、音による着信通知を行うモードと表示による着信通知を行うモードとを含むことを特徴とする着信通知制御方法。
【請求項１１】
請求項１０に記載の着信通知制御方法において、
前記通知ステップは、前記表示による着信通知を行うモードの場合に、応答方法の候補を表示し、ユーザに選択させることを特徴とする着信通知制御方法。
【請求項１２】
請求項７乃至請求項１１のいずれかに記載の着信通知制御方法において、
前記着信通知モードは、複数の前記操作状態を用いる論理式により判定され、該論理式はユーザにより設定されることを特徴とする着信通知制御方法。
【請求項１３】
通信機能を持つ電子装置の制御を行う着信通知制御方法を電子装置に実行させる着信通知制御プログラムであって、
前記電子装置におけるユーザの操作状態を検出する状態検出ステップと、
少なくとも１つの前記操作状態に基づいて、着信通知モードを切り替える制御ステップと、
前記着信通知モードに従って、ユーザに対する着信通知を行う通知ステップと、
を電子装置に実行させる着信通知制御プログラム。
【請求項１４】
請求項１３に記載の着信通知制御プログラムにおいて、
前記状態検出ステップは、前記操作状態として、キーの操作、タッチパネルの操作、ＣＰＵの負荷、アプリケーションにおいて操作中に設定される識別子、のいずれかを検出することを特徴とする着信通知制御プログラム。
【請求項１５】
請求項１４に記載の着信通知制御プログラムにおいて、
前記状態検出ステップは、前記操作状態として更に、前記電子装置付近の照度、前記電子装置に加わる圧力、のいずれかを検出することを特徴とする着信通知制御プログラム。
【請求項１６】
請求項１３乃至請求項１５のいずれかに記載の着信通知制御プログラムにおいて、
前記着信通知モードは、音による着信通知を行うモードと表示による着信通知を行うモードとを含むことを特徴とする着信通知制御プログラム。
【請求項１７】
請求項１６に記載の着信通知制御プログラムにおいて、
前記通知ステップは、前記表示による着信通知を行うモードの場合に、応答方法の候補を表示し、ユーザに選択させることを特徴とする着信通知制御プログラム。
【請求項１８】
請求項１３乃至請求項１７のいずれかに記載の着信通知制御方法において、
前記着信通知モードは、複数の前記操作状態を用いる論理式により判定され、該論理式はユーザにより設定されることを特徴とする着信通知制御プログラム。
【発明の詳細な説明】
【技術分野】
【０００１】
本発明は、通信機能を持つ電子装置、着信通知制御方法、着信通知制御プログラムに関するものである。
【背景技術】
【０００２】
ＰＤＡ（Personal Digital Assistant）等の携帯情報端末の中には、通信機能を備えるものがある。このようなＰＤＡの操作中に電話の着信があると、ユーザは、着信音に驚く、または他の操作中のためすぐにオフフック操作が行えない、等の問題がある。【０００３】
なお、本発明の関連ある従来技術として、例えば、下記に示す特許文献１が知られている。この携帯無線装置は、上述した問題の対策として、振動情報と温度情報に対応して、着信報知手段を変更するものである。
【特許文献１】特開平１０−２００９３３号公報  （第１−２頁、第１図）
【発明の開示】
【発明が解決しようとする課題】
【０００４】
しかしながら、特許文献１のような携帯情報端末は、端末の状況を各種センサにより検出するが、誤った状況判断により、誤った着信通知方法の選択が行われる場合がある。【０００５】
例えば、携帯情報端末が温かく柔らかい物の上に置いてある場合、携帯情報端末は温度センサや接触センサに従って、ユーザに保持されていると判断し、発光による着信通知を選択し、ユーザが見ていないのにランプを点滅させる等の不適切な着信通知を行う場合がある。【０００６】
また、ユーザが、暗く、室温が低い環境で、机の上に置かれた携帯情報端末を操作している場合、携帯情報端末は照度センサ、温度センサ、接触センサに従って、ユーザが離れていると判断し、リンガ音による着信通知を選択し、着信通知によりユーザを驚かせる場合がある。【０００７】
本発明は上述した問題点を解決するためになされたものであり、着信時の状況に応じて適切な動作を行う電子装置、着信通知制御方法、着信通知制御プログラムを提供することを目的とする。
【課題を解決するための手段】
【０００８】
上述した課題を解決するため、本発明は、通信機能を持つ電子装置であって、前記電子装置におけるユーザの操作状態を検出する状態検出部と、少なくとも１つの前記操作状態に基づいて、着信通知モードを切り替える制御部と、前記着信通知モードに従って、ユーザに対する着信通知を行う通知部とを備えたものである。【０００９】
また、本発明に係る電子装置において、前記状態検出部は、前記操作状態として、キーの操作、タッチパネルの操作、ＣＰＵの負荷、アプリケーションにおいて操作中に設定される識別子、のいずれかを検出することを特徴とするものである。【００１０】
また、本発明に係る電子装置において、前記状態検出部は、前記操作状態として更に、前記電子装置付近の照度、前記電子装置に加わる圧力、のいずれかを検出することを特徴とするものである。【００１１】
また、本発明に係る電子装置において、前記着信通知モードは、音による着信通知を行うモードと表示による着信通知を行うモードとを含むことを特徴とするものである。【００１２】
また、本発明に係る電子装置において、前記通知部は、前記表示による着信通知を行うモードの場合に、応答方法の候補を表示し、ユーザに選択させることを特徴とするものである。【００１３】
また、本発明に係る電子装置において、前記着信通知モードは、複数の前記操作状態を用いる論理式により判定され、該論理式はユーザにより設定されることを特徴とするものである。【００１４】
また、本発明は、通信機能を持つ電子装置の制御を行う着信通知制御方法であって、前記電子装置におけるユーザの操作状態を検出する状態検出ステップと、少なくとも１つの前記操作状態に基づいて、着信通知モードを切り替える制御ステップと、前記着信通知モードに従って、ユーザに対する着信通知を行う通知ステップとを備えたものである。【００１５】
また、本発明に係る着信通知制御方法において、前記状態検出ステップは、前記操作状態として、キーの操作、タッチパネルの操作、ＣＰＵの負荷、アプリケーションにおいて操作中に設定される識別子、のいずれかを検出することを特徴とするものである。【００１６】
また、本発明に係る着信通知制御方法において、前記状態検出ステップは、前記操作状態として更に、前記電子装置付近の照度、前記電子装置に加わる圧力、のいずれかを検出することを特徴とするものである。【００１７】
また、本発明に係る着信通知制御方法において、前記着信通知モードは、音による着信通知を行うモードと表示による着信通知を行うモードとを含むことを特徴とするものである。【００１８】
また、本発明に係る着信通知制御方法において、前記通知ステップは、前記表示による着信通知を行うモードの場合に、応答方法の候補を表示し、ユーザに選択させることを特徴とするものである。【００１９】
また、本発明に係る着信通知制御方法において、前記着信通知モードは、複数の前記操作状態を用いる論理式により判定され、該論理式はユーザにより設定されることを特徴とするものである。【００２０】
また、本発明は、通信機能を持つ電子装置の制御を行う着信通知制御方法を電子装置に実行させる着信通知制御プログラムであって、前記電子装置におけるユーザの操作状態を検出する状態検出ステップと、少なくとも１つの前記操作状態に基づいて、着信通知モードを切り替える制御ステップと、前記着信通知モードに従って、ユーザに対する着信通知を行う通知ステップとを電子装置に実行させるものである。
【図面の簡単な説明】
【００２１】
【図１】本発明に係る電子装置の構成の一例を示すブロック図である。
【図２】本発明に係る電子装置の着信時の動作の一例を示すフローチャートである。
【図３】本発明に係る電子装置の非操作中着信処理の動作の一例を示すフローチャートである。
【図４】本発明に係る電子装置の操作中着信処理の動作の一例を示すフローチャートである。
【図５】本発明に係る電子装置において着信時に操作中か否かを判断するための論理式の一例である。
【発明を実施するための最良の形態】
【００２２】
以下、本発明の実施の形態について図面を参照しつつ説明する。【００２３】
まず、本発明に係る電子装置である携帯情報端末の構成について説明する。【００２４】
図１は、本発明に係る携帯情報端末の構成の一例を示すブロック図である。この携帯情報端末は、制御部１、状態検出部１１、アプリケーション実行部３１、計時部５１、光学センサ５２、圧力センサ５３、テンキー５４、タッチパネル５５、ＣＰＵ（Central Processing Unit）負荷測定部５６、通信部６１、音声入出力部６２、表示部６３、記憶部７１を備える。【００２５】
計時部５１は、時刻を計測する。光学センサ５２は、携帯情報端末の周囲の照度を計測する。圧力センサ５３は、ユーザが携帯情報端末を保持することにより加わる圧力を計測する。テンキー５４とタッチパネル５５は、ユーザによる入力を受け付ける。ＣＰＵ負荷測定部５６は、携帯情報端末のＣＰＵのアイドル状態の時間を監視し、アイドル状態が多く発生している場合は操作中でないと判断する。通信部６１は、無線通信回線を介して、外部との通信を行う。音声入出力部６２は、送信する音声等の入力、受信した音声や着信音等の出力を行う。表示部６３は、ユーザに対して情報の表示を行う。状態検出部１１は、計時部５１、光学センサ５２、圧力センサ５３、テンキー５４、タッチパネル５５、ＣＰＵ負荷測定部５６を用いて、携帯情報端末の状態を検出する。記憶部７１は、アプリケーション、データ、電話帳、音声、設定等の記憶を行う。【００２６】
記憶部７１に格納される設定として、所定時間Ｔａ，Ｔｂ、所定ＣＰＵ負荷Ｌａ、所定照度Ｂａ、所定圧力Ｐａ、所定時刻Ｔ０，Ｔ１、着信通知モード、等があり、予め設定されている。着信通知モードは、音、表示、のいずれかの状態を持つ。【００２７】
次に、本発明に係る携帯情報端末の着信時の動作について説明する。【００２８】
図２は、本発明に係る携帯情報端末の着信時の動作の一例を示すフローチャートである。まず、制御部１は、待ち受け状態において通信部６１が着信を検出したか否かの判断を行う（Ｓ１１）。【００２９】
着信を検出していない場合（Ｓ１１，Ｎ）、処理Ｓ１１へ戻り、待ち受け状態を続ける。一方、着信を検出した場合（Ｓ１１，Ｙ）、状態検出部１１は、過去の所定時間Ｔａ内にテンキー５４の操作が行われたか否かの判断を行う（Ｓ１２）。つまり、過去の所定時間Ｔａ内にテンキー５４の操作が行われた場合を、操作中の可能性が高いと判断する。【００３０】
所定時間内にテンキー操作が行われた場合（Ｓ１２，Ｙ）、処理Ｓ２１へ移行する。一方、所定時間内にテンキー操作が行われていない場合（Ｓ１２，Ｎ）、状態検出部１１は、過去の所定時間Ｔｂ内にタッチパネル５５の操作が行われたか否かの判断を行う（Ｓ１３）。つまり、過去の所定時間Ｔｂ内にタッチパネル５５の操作が行われた場合を、操作中の可能性が高いと判断する。【００３１】
所定時間内にタッチパネル操作が行われた場合（Ｓ１３，Ｙ）、処理Ｓ２１へ移行する。一方、所定時間内にタッチパネル操作が行われていない場合（Ｓ１３，Ｎ）、状態検出部１１は、ＣＰＵ負荷測定部により得られるＣＰＵ負荷が所定ＣＰＵ負荷Ｌａ以上であるか否かの判断を行う（Ｓ１４）。つまり、ＣＰＵ負荷が所定ＣＰＵ負荷Ｌａ以上である場合を、操作中の可能性が高いと判断する。【００３２】
ＣＰＵ負荷がＬａ以上でない場合（Ｓ１４，Ｎ）、処理Ｓ３１へ移行する。一方、ＣＰＵ負荷がＬａ以上である場合（Ｓ１４，Ｙ）、状態検出部１１は、光学センサ５２により得られる照度が所定照度Ｂａ以上であるか否かの判断を行う（Ｓ２１）。つまり、照度が所定照度Ｂａ以上である場合を、操作中の可能性が高いと判断する。【００３３】
照度がＢａ以上でない場合（Ｓ２１，Ｎ）、処理Ｓ３１へ移行する。一方、照度がＢａ以上である場合（Ｓ２１，Ｙ）、状態検出部１１は、圧力センサ５３により得られる圧力が所定圧力Ｐａ以上であるか否かの判断を行う（Ｓ２２）。つまり、圧力が所定圧力Ｐａ以上である場合を、操作中の可能性が高いと判断する。【００３４】
圧力がＰａ以上である場合（Ｓ２２，Ｙ）、処理Ｓ４２へ移行する。一方、圧力がＰａ以上でない場合（Ｓ２２，Ｎ）、状態検出部１１は、アプリケーション実行部３１において操作中フラグが設定されているか否かの判断を行う（Ｓ３１）。つまり、アプリケーションにおいて操作中フラグが設定されている場合を、操作中と判断する。ここで、アプリケーションの種類によっては、音による着信通知を行うべきでない場合がある。例えば、文字入力中で長く考えている場合、音楽を再生している場合、音声を録音している場合、等である。そこで、音による着信通知を行うべきでない場合に、アプリケーション実行部３１が操作中フラグを設定することにより、状態検出部１１は操作中と判断する。【００３５】
操作中フラグが設定されている場合（Ｓ３１，Ｙ）、処理Ｓ４２へ移行する。一方、操作中フラグが設定されていない場合（Ｓ３１，Ｎ）、状態検出部１１は、計時部５１により得られる現在時刻が所定時刻Ｔ０から所定時刻Ｔ１までの所定期間内であるか否かの判断を行う（Ｓ３２）。ここで、所定時刻Ｔ０から所定時刻Ｔ１までは、ユーザが携帯情報端末を使用しない時刻として予め設定された期間である。【００３６】
現在時刻が所定期間内であれば（Ｓ３２，Ｙ）、状態検出部１１は操作中でないと判断し、制御部１は非操作中着信処理を行い（Ｓ４１）、このフローを終了する。一方、現在時刻が所定期間内でなければ（Ｓ３２，Ｎ）、状態検出部１１は操作中であると判断し、制御部１は操作中着信処理を行い（Ｓ４２）、このフローを終了する。【００３７】
次に、本発明に係る携帯情報端末の非操作中着信処理の動作について説明する。【００３８】
図３は、本発明に係る携帯情報端末の非操作中着信処理の動作の一例を示すフローチャートである。まず、制御部１は、着信通知モードを音に設定する（Ｓ５１）。次に、制御部１は、着信通知モードに従って音による着信通知を行う（Ｓ５２）。この着信通知において、音声入出力部６２により着信音が出力される。次に、制御部１はオフフックされたか否かの判断を行う（Ｓ５３）。オフフックされない場合（Ｓ５３，Ｎ）、処理Ｓ５３へ戻る。一方、オフフックされた場合（Ｓ５３，Ｙ）、制御部１は、通話の処理を行う（Ｓ５４）。【００３９】
次に、本発明に係る携帯情報端末の操作中着信処理の動作について説明する。【００４０】
図４は、本発明に係る携帯情報端末の操作中着信処理の動作の一例を示すフローチャートである。まず、制御部１は、着信通知モードを表示に設定する（Ｓ６１）。次に、制御部１は、着信通知モードに従って表示による着信通知を行う（Ｓ６２）。【００４１】
この着信通知において、表示部６３には、着信情報、発信者情報、応答方法候補、が表示される。着信情報とは、着信があったことをユーザに伝える情報であり、発信者情報とは、発信者の電話番号や電話帳に格納された情報等である。応答方法候補とは、ユーザが選択するための応答方法の選択肢である。さらに、表示部６３には応答方法候補として通話、掛け直し依頼の応答、折り返し通知の応答、が表示され、ユーザがタッチパネル５５をタップすることにより選択することが可能となる。【００４２】
ここで、通話とは、ユーザが直接通話を行う応答方法である。かけ直し依頼とは、発信者にかけ直しを依頼するためのメッセージを再生する応答方法であり、例えば、「電話に出られません。後ほどおかけ直しください。」といったメッセージを再生する。折り返し通知とは、後で折り返し電話することを通知するためのメッセージを再生する応答方法であり、例えば、「電話に出られません。後ほど折り返し電話致します。」といったメッセージを再生する。かけ直し依頼と折り返し通知のメッセージは、記憶部７１に記憶されており、制御部１により再生される。ユーザは表示部６３に表示された応答方法候補のうちの１つをタップまたはクリックすることにより、応答方法を選択することができる。【００４３】
次に、制御部１は、ユーザにより応答方法候補のうち、通話が選択されたか否かの判断を行う（Ｓ６３）。通話が選択された場合（Ｓ６３，Ｙ）、制御部１は、オフフックを行い（Ｓ７１）、通話の処理を行い（Ｓ７２）、このフローを終了する。【００４４】
一方、通話以外が選択された場合（Ｓ６３，Ｎ）、制御部１は、ユーザにより応答方法候補のうち、かけ直し依頼が選択されたか否かの判断を行う（Ｓ６４）。かけ直し依頼が選択された場合（Ｓ６４，Ｙ）、制御部１は、オフフックを行い（Ｓ８１）、発信者に対してかけ直し依頼のメッセージの再生を行い（Ｓ８２）、オンフックを行い（Ｓ８３）、このフローを終了する。【００４５】
一方、かけ直し依頼以外が選択された場合、すなわち折り返し通知が選択された場合（Ｓ６４，Ｎ）、制御部１はオフフックを行い（Ｓ９１）、発信者に対して折り返し通知のメッセージの再生を行い（Ｓ９２）、オンフックを行い（Ｓ９３）、このフローを終了する。【００４６】
なお、本実施の形態においては図２のフローに従って操作中か否かの判断を行ったが、計時部５１、光学センサ５２、圧力センサ５３、テンキー５４、タッチパネル５５、ＣＰＵ負荷測定部５６、アプリケーション実行部３１等の情報に基づく論理式により操作中か否かを判断するようにしても良い。図５は、本発明に係る携帯情報端末において着信時に操作中か否かを判断するための論理式の一例である。この論理式を用いて、制御部１は、図２のフローにおけるそれぞれの判断と同様の項目に基づいて得られる結果Ｓが、真であれば操作中着信処理を行い、偽であれば非操作中着信処理を行う。また、このような論理式をユーザが設定できるようにしても良い。【００４７】
更に、携帯情報端末を構成するコンピュータに上述した各ステップを実行させるプログラムを、着信通知制御プログラムとして提供することができる。上述したプログラムは、コンピュータにより読取り可能な記録媒体に記憶させることによって、携帯情報端末を構成するコンピュータに実行させることが可能となる。ここで、上記コンピュータにより読取り可能な記録媒体としては、ＲＯＭやＲＡＭ等のコンピュータに内部実装される内部記憶装置や、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。【００４８】
なお、状態検出部は、実施の形態における状態検出部１１、計時部５１、光学センサ５２、圧力センサ５３、テンキー５４、タッチパネル５５、ＣＰＵ負荷測定部５６に対応する。また、通知部は、実施の形態における音声入出力部６２、表示部６３に対応する。【００４９】
このテンキー５４、タッチパネル５５を用いて状態検出を行う場合、ユーザの直接的な入力操作を検出するので確実にユーザの操作状態を検出することができる。【００５０】
また、ＣＰＵ負荷測定部５６、アプリケーション実行部３１により設定される操作フラグを用いて状態検出を行う場合、ユーザが装置を持ったままで何も入力操作をしていなくても、ユーザが装置を操作しているという状態を検出することができる。
【産業上の利用可能性】
【００５１】
以上説明したように、本発明によれば、ユーザの操作や内部動作を検出することにより、ユーザが電子装置を操作しているか否かを判断し、適切な着信通知を行うことができる。従って、電子装置の操作中に着信音に驚くことを避けられる。また、着信音を出さない設定としたまま、電子装置をカバンの中等に入れたことにより、着信に気がつかないことを避けられる。また、電子装置の操作中に着信があった場合、タッチパネルで即座に、発信者や状況に応じた応答方法を選択できる。また、電子装置の操作中でない時に着信があった場合、無駄に表示部を表示させることがないため、消費電力を抑えられる。
【図１】
2006080068.tif 000002
【図２】
2006080068.tif 000003
【図３】
2006080068.tif 000004
【図４】
2006080068.tif 000005
【図５】
2006080068.tif 000006
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
通信機能を持つ電子装置であって、
前記電子装置におけるユーザの操作状態を検出する状態検出部と、
少なくとも１つの前記操作状態に基づいて、着信通知モードを切り替える制御部と、
前記着信通知モードに従って、ユーザに対する着信通知を行う通知部と、
を備えてなる電子装置。
【請求項２】
請求項１に記載の電子装置において、
前記状態検出部は、前記操作状態として、キーの操作、タッチパネルの操作、ＣＰＵの負荷、アプリケーションにおいて操作中に設定される識別子、のいずれかを検出することを特徴とする電子装置。
【請求項３】
請求項２に記載の電子装置において、
前記状態検出部は、前記操作状態として更に、前記電子装置付近の照度、前記電子装置に加わる圧力、のいずれかを検出することを特徴とする電子装置。
【請求項４】
請求項１乃至請求項３のいずれかに記載の電子装置において、
前記着信通知モードは、音による着信通知を行うモードと表示による着信通知を行うモードとを含むことを特徴とする電子装置。
【請求項５】
請求項４に記載の電子装置において、
前記通知部は、前記表示による着信通知を行うモードの場合に、応答方法の候補を表示し、ユーザに選択させることを特徴とする電子装置。
【請求項６】
請求項１乃至請求項５のいずれかに記載の電子装置において、
前記着信通知モードは、複数の前記操作状態を用いる論理式により判定され、該論理式はユーザにより設定されることを特徴とする電子装置。
【請求項７】
通信機能を持つ電子装置の制御を行う着信通知制御方法を電子装置に実行させる着信通知制御プログラムであって、
前記電子装置におけるユーザの操作状態を検出する状態検出ステップと、
少なくとも１つの前記操作状態に基づいて、着信通知モードを切り替える制御ステップと、
前記着信通知モードに従って、ユーザに対する着信通知を行う通知ステップと、
を電子装置に実行させる着信通知制御プログラム。
【請求項８】
請求項７に記載の着信通知制御プログラムにおいて、
前記状態検出ステップは、前記操作状態として、キーの操作、タッチパネルの操作、ＣＰＵの負荷、アプリケーションにおいて操作中に設定される識別子、のいずれかを検出することを特徴とする着信通知制御プログラム。
【請求項９】
請求項８に記載の着信通知制御プログラムにおいて、
前記状態検出ステップは、前記操作状態として更に、前記電子装置付近の照度、前記電子装置に加わる圧力、のいずれかを検出することを特徴とする着信通知制御プログラム。
【請求項１０】
請求項７乃至請求項９のいずれかに記載の着信通知制御プログラムにおいて、
前記着信通知モードは、音による着信通知を行うモードと表示による着信通知を行うモードとを含むことを特徴とする着信通知制御プログラム。
【請求項１１】
請求項１０に記載の着信通知制御プログラムにおいて、
前記通知ステップは、前記表示による着信通知を行うモードの場合に、応答方法の候補を表示し、ユーザに選択させることを特徴とする着信通知制御プログラム。
【請求項１２】
請求項７乃至請求項１１のいずれかに記載の着信通知制御プログラムにおいて、
前記着信通知モードは、複数の前記操作状態を用いる論理式により判定され、該論理式はユーザにより設定されることを特徴とする着信通知制御プログラム。
【国際調査報告】
2006080068.tif 000007
2006080068.tif 000008
2006080068.tif 000009
2006080068.tif 000010